(57)【特許請求の範囲】
【請求項１】
番組情報を受信する受信手段と、
該受信手段により受信された該番組情報を表示する表示手段と、
該表示手段により表示された該番組情報から少なくとも１つの番組情報を選択する選択手段と、
該選択手段により選択された該番組情報における表示領域に表示されていない番組情報がある場合には該番組情報を該選択手段により該番組情報が選択された後所定の時間経過後にスクロール表示し、該選択手段により選択された該番組情報における表示領域に表示されていない番組情報がない場合には該番組情報をスクロール表示しないように制御する制御手段とを備えることを特徴とする受信装置。
【請求項２】
請求項１記載の受信装置において、
前記制御手段は、前記受信手段により受信される前記番組情報を画像情報を用いて表示するように制御することを特徴とする受信装置。
【請求項３】
請求項１または２記載の受信装置において、
テレビ映像を受信するテレビ映像受信手段と、
該テレビ映像受信手段により受信された該テレビ映像を表示するテレビ映像表示手段とを有し、
前記制御手段は、該テレビ映像表示手段により該テレビ映像を表示しながら前記番組情報を表示するように制御することを特徴とする受信装置。
【請求項４】
テレビ映像及び番組情報を受信する受信手段と、
該受信手段により受信された該テレビ映像及び該番組情報を表示する表示手段と、
該表示手段により表示された該番組情報から少なくとも１つの番組情報を選択する選択手段と、
該選択手段により選択された該番組情報における表示領域に表示されていない番組情報がある場合には、該テレビ映像信号に重ならないように該番組情報を該選択手段により該番組情報が選択された後所定の時間経過後にスクロール表示するように制御する制御手段とを備えることを特徴とする受信装置。
【請求項５】
請求項１又は４記載の受信装置において、
複数の番組に関する画面を表示するマルチ画面表示手段を有し、
前記マルチ画面表示手段により表示された画面を選択するマルチ画面選択手段とを有し、
該画面とは異なる表示領域に該画面に関連する番組情報を表示するための領域を設け、前記制御手段は、該マルチ画面選択手段によりいずれかの画面を選択した場合に、該表示領域に該番組情報を表示できないときは該番組情報を該マルチ画面選択手段により該番組情報が選択された後所定の時間経過後にスクロール表示するように制御することを特徴とする受信装置。
【発明の詳細な説明】
【０００１】
【発明の属する技術分野】
本発明は、テキスト情報を表示する機能を有する受信装置に関する。
【０００２】
【従来の技術】
近年、文字放送や、衛星を用いたデジタル放送等で番組ガイド等のテキスト情報等が提供されており、このテキスト情報を画面上に表示する受信装置等がある。画面上への表示の仕方としては、例えば図１３（ａ）の受信装置画面の正面図に示すようにチャンネル毎に番組のタイトルが表示される。
これらの文字情報は、ディスプレイの解像度や、視距離等の関係上、ある程度の大きさの文字サイズが使用される。従って、１画面内に表示できる情報量も限られてる。
【０００３】
また、番組ガイド情報の画面上への表示法として、複数のテキスト情報を画面上に表示し、そのいずれかの番組情報を選択する操作手段、例えばリモコンを有し、カーソル４４０で選択された番組情報４４５に関連するテキスト情報を画面上の特定領域４４６、例えば図１３（ａ）に示す画面の上部に表示する受信装置がある。
この場合、画面上の特定領域４４６に表示される選択項目（例えば番組のタイトル）に関連する番組情報の量は、その表示エリアのサイズに委ねられる。したがって、選択項目の数を確保するため、選択項目表示エリアを広く取ると、関連情報の情報量が減ってしまう。逆に関連情報の表示エリアを大きくとると、選択項目の表示エリアが狭くなり、表示できる選択項目数が減ってしまい使いづらくなる。
また、選択項目を選択した状態において、リモートコントローラ（以後、単にリモコンと言う）の特定ボタンを押すことにより、図１３（ｂ）の受信装置画面の正面図に示すように、拡大された関連情報表示エリア４４７に関連情報が表示される受信装置がある。ところがこの受信装置においては、特定ボタンを押す操作が面倒であったり、選択項目が隠れてしまって使いづらいと言う欠点がある。
【０００４】
更に他の従来技術について図１４〜図１６に示す受信装置の画面の正面図を用いて説明する。
画面上に文字放送を表示する仕方としては、図１４（ａ）に示すように、画面上に放送番組の映像と、文字放送の各番組を表す複数のアイコン画像５００を表示し、それらのアイコン画像５００のうちいずれかをカーソル４４０で選択して確定し、確定された文字放送の番組を画面上の特定領域、この場合画面に向かって右側の領域５０２に表示する受信装置がある。
この場合、文字放送の番組情報を画面の多くの領域を用いて表示すると、放送番組の画像が小さくなったり、文字放送の番組項目、すなわちアイコン画像５００を表示する領域が狭くなる結果、表示する文字放送の選択項目の数が少なくなる。
【０００５】
逆に、図１４（ｂ）に示すように文字放送の番組情報の表示エリア５０３を狭くすると、表示できる文字数、情報量が少なくなってしまう。また、文字サイズを小さく表示すると、文字が読みにくかったりする。
また、このような表示の仕方において、表示された文字放送の番組のページをめくる場合は、ユーザーがリモコン等の操作によって、表示されていない情報を画面上に出す必要があり面倒である。
【０００６】
文字放送の内容を画面上へ表示する方法として、図１５（ａ）に示すように、特定の文字放送の番組の情報５０４が画面上にスクロールして表示される受信装置がある。この場合、図１５（ｂ）に示すように、リモコンに特定ボタン、例えばニュースボタン５０５を１個設け、それを押すことにより、ニュースが画面上に表示される。
文字放送の内容を画面上に表示するためには、リモコンの押ボタン操作により、画面上への表示指定を行う必要があり、ユーザーは一旦、画面から目を離す必要がある。また、スクロールして表示する文字情報の番組は従来は１種類であるため、希望の番組を見ることができなかった。
【０００７】
他の従来技術としては、図１６に示すように現在放送中の番組の画像を画面上に複数表示し、それぞれの画像上に放送されているチャンネル情報を付加して表示し、いずれかの番組をカーソル４４０で選択することによって、選択された画像を画面全体に表示するようにした受信装置がある。この場合、選択された画像に関する情報は、放送している放送局のチャンネル番号等の情報であり、番組に関する情報は提供されていない。
【０００８】
【発明が解決しようとする課題】
以上述べたように、従来の技術においては、限られた画面上に文字情報、番組情報、更には受信中の画像を表示するだけなので、視聴者にとって必要な情報を同時、かつ容易に得ることができなかった。
更に、番組のタイトルを選択し、選択された番組の詳細な情報を得ようとしても表示領域が限られているために、充分な情報を表示することができなかった。
【０００９】
また、表示しきれていない情報を表示しようとすると、ユーザのリモコン操作が必要で面倒であったり、選択項目等の他の表示が消えてしまったりして使いづらかった。
【００１０】
本発明の目的は、ユーザが番組情報の内容を容易に把握できる受信装置を提供することにある。
【００１１】
【課題を解決するための手段】
上記目的を解決するために、本発明は、番組情報を受信する受信手段と、該受信手段により受信された該番組情報を表示する表示手段と、該表示手段により表示された該番組情報から少なくとも１つの番組情報を選択する選択手段と、該選択手段により選択された該番組情報における表示領域に表示されていない番組情報がある場合には該番組情報を該選択手段により該番組情報が選択された後所定の時間経過後にスクロール表示し、該選択手段により選択された該番組情報における表示領域に表示されていない番組情報がない場合には該番組情報をスクロール表示しないように制御する制御手段とを備えることを特徴とする。
【００１２】
【発明の実施の形態】
以下、本発明による受信装置の実施形態について、幾つかの実施例を用いて説明する。なお、本実施例は番組ガイド情報が放送に重畳されて送られてくる場合を例にとり、図面を用いて説明する。
図１は本発明による受信装置の一実施例を示すブロック図である。図において、１０１は信号入力端子、１０２は信号分離部、１０３は画像処理部、１０４は画像再生部、１０５は画像加工部、１０６は画像合成部、１０７は信号出力端子、１０８は情報処理部、１０９はデータ抽出部、１１０はデータ記憶部、１１１は表示データ作成部、１１２は中央処理部、１１３は外部制御入力部、１１４は時計装置、１１５はメモリー部である。
図に示す受信装置において、信号入力端子１０１に入力された信号は、信号分離部１０２に入力される。信号分離部１０２は入力された信号から画像情報とデータ情報を分離して出力し、画像情報は画像処理部１０３へ、データ情報は情報処理部１０８に入力される。
【００１３】
画像処理部１０３は、入力された画像信号を画面に表示できるように処理、加工して出力する。例えば、画像処理部１０３は画像再生部１０４と画像加工部１０５とから構成され、エンコードされた画像情報は画像再生部１０４で元の画像に再生される。再生された画像は画像加工部１０５に入力され、画像の明るさ、コントラスト、輪郭補正の処理や、画像の縮小、拡大が行われ、画像合成部１０６に入力される。
情報処理部は１０８は、信号分離部１０２で分離されたデータ情報から番組ガイド画像を作成して出力する。このデータは、モデム１１７を通して通信情報からデータ記憶部１１０に入力される場合もある。
情報処理部１０８は、例えば、データ抽出部１０９、データ記憶部１１０、表示データ作成部１１１から構成されている。データ抽出部１０９は、信号分離部１０２から出力されたデータ情報から番組情報を抽出、デコードして、データ記憶部１１０に出力する。データ記憶部１１０は、入力された番組情報を蓄積する。蓄積された番組情報は、番組ガイド画像を構成する時、表示データ作成部１１１に出力される。表示データ作成部１１１は、データ記憶部１１０から出力された番組ガイド情報から番組ガイド画像を作成して、出力する。出力された番組ガイド画像は画像合成部１０６に入力される。
【００１４】
画像合成部１０６は、入力された画像信号と番組ガイド画像を１つの画像に合成して出力する。出力された画像は信号出力端子１０７から出力され、図示しない表示部で画面に表示される。
ここで、中央処理部１１２は、外部制御入力部１１３から入力された視聴者が操作するリモコンなどの指令に応じて、画像処理部１０３と情報処理部１０８の制御を行う。例えば、画像処理部１０３に対しては、画像の表示サイズや画質補正の制御を行う。また、情報処理部１０８に対しては、番組ガイドデータの蓄積の制御、編集、検索、さらに表示形態の制御或いは処理を行う。
同図において、図示しないアンテナで受信された地上波放送や、ＣＳ、ＢＳなどの衛星放送、さらには通信が、信号分離部１０２に供給され、番組ガイド情報が、データ記録部１１０に蓄積される。
【００１５】
図１の受信装置に使用されるリモコンを図２に示す。図２は図１の受信装置に使用されるリモコンの一実施例を示す平面図である。図において、リモコン２００は、電源ボタン２０１、番組ガイド情報を表示するときに用いる番組ガイドボタン２０２、複数チャンネルの映像を表示するときに使用するマルチボタン２０３、上下左右ボタン２０４、２０５、２０６，２０７、決定ボタン２０８、音量調節ボタン２０９及びチャンネルボタン２１０から構成されている。
今、リモコン２００の番組ガイドボタン２０２が押されると、受信装置では番組ガイドを表示するコマンドを受信し、このコマンドをメモリ部１１５に記憶する。このコマンドが受信されると、時計装置１１４からの出力によって、データ記憶部１１０に蓄積された番組ガイド情報の中から現在放送中の番組データが抽出され、表示データ作成部１１１で表示データが作成されて画像合成部１０６送られ、この画像合成部１０６によって、視聴中である番組映像と合成され、図３（ａ）に示すように、視聴中の番組映像が画面左側の領域３０１に、現在放送中の番組ガイドが画面右側の領域に表示される。
【００１６】
ここで、図３（ａ）〜図（ｃ）は受信装置の画面第１の実施例を示す正面図である。
番組ガイド情報は、画面右側領域の左端にチャンネル名、又はチャンネル番号３０２が表示され、各チャンネル番号３０２の右側にそのチャンネルで放送中の番組のタイトル、出演者等の番組情報３０３が表示される。
このとき、番組情報のいずれかが選択された状態になっており、リモコン２００のカーソル上下ボタン２０４、２０５により、選択操作を行うことができる。
図３（ａ）に示すようにカーソル３００で特定の選択項目３０４を選択した場合、図１の情報処理部１０８において、図４に示す処理を行う。図４は図１の受信装置のフローの一実施例を示すフローチャートである。ステップ４０１において、カーソルを表示し、かつこのカーソルで特定選択項目３０４を選択する。選択した状態からステップ４０２において経過時間を測定する。一定時間経過しない場合には処理不要となり、一定時間を経過した場合は、ステップ４０３に示すように、表示エリアに当該番組データの中で、表示されていないものがあるかどうかを判断する。表示されていない情報がない場合には何の処理も行われない。表示されていない情報がある場合には、ステップ４０４において、表示されていない情報が表示されるように、出力データを変更する。出力データを特定量ずつ変更することにより、図３（ｂ）の選択項目３０５、図３（ｃ）の選択項目３０６、更には図５（ａ）の選択項目３０７に示すように表示する内容が画面上でスクロールしていくように表示される。
【００１７】
次に、図５（ｂ）、図５（ｃ）の受信装置画面の正面図に示すように、リモコンのカーソル下ボタン２０５が押されると、カーソル３００は図５（ａ）の選択項目３０７から図５（ｂ）のように選択項目３０８に移動され、これが選択された状態になる。この場合も、図４のフローチャートに従って動作される。従って、選択された番組情報が、全て表示されきっておらず、未表示部分があると、一定時間経過後、表情報処理部１０８にて表示データを変更することにより、図５（ｂ）の選択項目３０８，図５（ｃ）の選択項目３０９に示すように、番組ガイド情報がスクロールされ、その選択項目に関係する全情報が表示される。
このように番組情報を画面上に表示することにより、ユーザーは特定の操作の必要がなく、狭いエリアで選択状態にある番組の情報を得ることができる。
【００１８】
図６を用いて本発明の第２の実施例について説明する。図６（ａ）、（ｂ）は本発明の第２の実施例を示す受信機画面の正面図である。
図２に示すリモコンの番組ガイドボタン２０２が押され、受信装置が番組ガイドを表示するコマンドを受信すると、時計装置１１４の情報により、データ記憶部１１０に蓄積された番組ガイド情報の中から現在放送中の番組データを抽出する。番組ガイドボタン２０２が押された時点のチャンネルを、中央処理部１１２にて判別することにより、情報処理部１０８にて、選択項目を当該チャンネルとし、かつ、選択状態にある番組３１２の番組情報を表示するエリア３１３を別途設け、画像合成部１０６にて、番組映像と合成し、図６（ａ）のように表示する。
【００１９】
番組３１２の表示エリアは、表示面積が少ないため、それよりも表示面積の広い画面最下段のエリア３１３を利用することによって、カーソルが選択している番組の情報をより詳細に把握することが可能になる。しかし、最下段の表示エリア３１３においても、全ての番組情報が表示しきれない場合もある。
そこで、情報処理部１０８において、図４に示すように、番組情報表示エリア３１３に表示しきれない番組情報があるかどうかを判断し、存在する場合には、選択項目が選択された後、一定時間経過すると、表示データを変更して、図６（ｂ）の表示エリア３１３に示すように、スクロールして表示することにより表示されていない情報が表示される。本実施例の場合、番組情報が右から左に流れていき、表示されていなかった文字が現れてきて見えるようになる。
図７（ａ）受信装置画面の正面図に示すように、リモコンのカーソル下ボタン２０５が押されると、表示データ作成部１０８にて、カーソル３００の表示を下段３１５に変更し、最下段表示エリア３１３内に表示する情報を、カーソルの位置する番組３１５の情報に変更して画面上に表示する。この場合も、最下段表示エリア３１３内に番組情報が全て表示しきれないため、図７（ｂ）に示すように情報処理部１０８にて、一定時間経過後、表示データを随時変更して画面上に表示する。
本実施例においては、ユーザは、選択項目を選ぶだけで容易にその番組のガイド情報を得ることができ、また視聴している番組映像の表示エリア、各チャンネルの番組タイトル一覧リストの表示エリアを広く保ったままで、現在放送中の番組の情報を得ることができる。
【００２０】
次に本発明の第３の実施例について、説明する。
図８は本発明の第３の実施例を示す受装置画面の正面図であり、番組ガイド表示を画面全体を用いて表示した場合の実施例を示す。通常番組視聴状態にて、リモコンの番組ガイドボタン２０２が押されると、中央処理部１１２にて、その時点での視聴チャンネルを認識し、情報処理部１０８において、時計装置１１４と、データ記憶部１１０との比較により、視聴されていたチャンネルの現在放送中の番組データを抽出し、他のチャンネル名、タイトルと共に表示データを作成し、図８（ａ）に示すように受信装置画面に表示する。このとき、選択カーソル３００はリモコンボタンが押される前に表示されていたチャンネルの番組を選択している状態になる。
この場合、情報処理部１０８にて、図４のフローチャートに示すように、カーソル停止状態の時間を計測し、一定時間に達したら、表示エリアに当該番組情報全て表示されているかを判断し、表示されていないものがあると判断した場合には、情報処理部１０８にて表示データを変更して出力する。この処理により、図８（ａ）（ｂ）に示すように、画面最上部の番組情報表示エリア３１９に、当該番組情報をスクロールして表示し、表示されていなかった情報を表示する。
【００２１】
図８（ｂ）の状態において、リモコンのカーソル下ボタン２０５が押されると、選択カーソル３００は下段に移動し、選択された番組の表示しきれない情報が図７を用いて説明したのと同様にして、エリア３１９に表示される。
本実施例においては、ユーザーは、番組表の表示エリアを広く保ったままで、特定の番組の詳細情報を得ることができる。
【００２２】
次に、図９、図１０を用いて本発明の第４の実施例について説明する。図９（ａ）、（ｂ）、図１０（ａ）、（ｂ）は第３の実施例を示す受信装置の正面図である。通常番組視聴状態にて、リモコンのカーソル上下左右ボタン２０４、２０５、２０６、２０７のいずれかがが押されると、中央処理部１１２にて、その時点での視聴チャンネルを認識し、情報処理部１０８において、時計装置１１４と、データ記憶部１１０との比較により、視聴されていたチャンネルの現在放送中の番組データを抽出して、チャンネル番号と共に表示データを作成し、画像合成部１０６にて放送中の番組映像と合成して図９（ａ）のように表示する。選択カーソル３００はリモコンボタンが押される前に表示されていたチャンネル３２４を選択しており、番組情報表示エリア３２５には、カーソル３００が選択しているチャンネル（図の画面の場合、ＣＨ２）の現在放送中の番組情報を表示する。
この場合も前述の実施例と同様に、図４に示すフローチャートに従って動作する。従って、カーソル停止状態の時間が予め定められた時間に達した場合には表示エリア３２５に当該番組情報全て表示されているかを判断し、表示されていないものがあると判断した場合には、情報処理部１０８にて表示データを変更して出力する。この処理により、図９（ａ）、（ｂ）に示すように、画面最下部の番組情報表示エリア３２５の当該番組情報をスクロールして表示し、表示されていなかった情報を表示する。
図９（ｂ）に示す状態において、リモコンのカーソル下ボタン２０５が押されると、図１０（ａ）に示す選択項目３２７（ＣＨ３）に選択カーソル３００が移動し、図１０（ａ），（ｂ）に示すように、番組情報表示アリア３２５には選択項目３２７、すなわちこの場合は選択されたチャンネルＣＨ３の現在放送中の番組データが最下段の番組情報表時エリア３２５に表示される。
本実施例においては、ユーザは、視聴している番組映像の表示エリアを広く保ったままで、現在視聴中の番組の情報や現在放送中の他の番組の情報を得ることができる。
【００２３】
以下、図１１を用いて選択項目が画像である場合の実施例について説明する。
図１１（ａ）、（ｂ）は本発明の第５の実施例を示す受信装置画面の正面図である。
通常番組視聴状態にて、リモコン２００のマルチボタン２０３が押されると、画像処理部１０３において、複数のチャンネルの映像からなるマルチ画面が生成され、そのマルチ画面３３０と、そのうちの１画面の選択状態を示すカーソル３００と、情報処理部１０８にて抽出されたカーソル選択状態にあるチャンネルの現在放送中の番組情報とを、画像合成部１０６にて図１１（ａ）のように表示する。図において、３３２はカーソル３００で選択された番組情報を表示するエリアである。抽出する番組情報は、時計装置１１４による現在時刻情報と、マルチボタン２０３を押された時に表示しているチャンネル情報を認識することにより、データ記憶部１１０より抽出される。
図１１（ａ）の状態において、リモコン２００のカーソル右ボタン２０７が押されると、図１１（ｂ）に示すように、カーソル３００は右側に移動して選択項目は項目３３１から項目３３３、すなわちＣＨ２の画面に移動し、情報処理部１０８において、データ記憶部１１０に蓄積されているＣＨ２の番組データのうち、時計装置１１４からの現在時刻情報により、現在放送中の番組データが抽出され、番組情報表示するエリア３３２に表示される。
同様に、リモコン２００のカーソルボタンを押すことによってカーソル３００は移動し、そのカーソル３００で表示されたチャンネルの番組情報が番組情報表表示エリア３３２に表示される。
これらの表示、及び動作により、ユーザは、複数の番組映像を一覧して、その中から番組に関する情報をより知りたいものにカーソルを合わせることによって、選択した番組の情報（本例の場合はテキストによる情報）を得ることができ、番組の選択が容易となる。
【００２４】
次に、図１２を用いて、図１１に示す場合に比べてより一覧できる番組映像を多くした例を説明する。図１２（ａ）、（ｂ）は本発明の第６の実施例を示す受信装置画面の正面図である。
図１２の場合は、図１１の場合に比べて画像を表示するエリア３３８を増やすと共に、表示される画像を縮小することによって、表示する画像の数、すなわちチャンネル数を増やしている。このため番組情報表示エリア３４０の面積は図１１の場合より少なくなる。そこで、カーソル停止状態の時間が予め定められた時間に達した場合にはカーソル３００で選択された選択項目３３９、この場合はＣＨ１の現在時刻に関する番組情報は図１２（ｂ）に示すように情報表示エリア３４０にスクロールされて表示される。また、カーソル３００をリモコン２００を用いて移動させ、他の選択項目を選択した場合にも同様に動作される。
図１２に示す実施例においては、図１１の実施例に比べて、画面下部の番組情報表示エリア３４０をテキスト１行分のみと狭くしているので、番組映像を多く表示することができる。従って、ユーザーは多くの番組映像を一覧しながら、選択画面の番組情報を容易に認識することができ、番組の選択操作が容易になる。
【００２５】
【発明の効果】
以上説明したように、本発明によれば、ユーザが番組情報の内容を容易に把握できる。
【図面の簡単な説明】
【図１】本発明による受信装置の一実施例を示すブロック図である。
【図２】図１の受信装置に使用されるリモコンの一実施例を示す平面図である。
【図３】本発明による受信装置の画面の第１の実施例を示す正面図である。
【図４】図１の受信装置の処理フローの一実施例を示すフローチャートである。
【図５】本発明による受信装置の画面の第１の実施例を示す正面図である。
【図６】本発明による受信装置の画面の第２の実施例を示す正面図である。
【図７】本発明による受信装置の画面の第２の実施例を示す正面図である。
【図８】本発明による受信装置の画面の第３の実施例を示す正面図である。
【図９】本発明による受信装置の画面の第４の実施例を示す正面図である。
【図１０】本発明による受信装置の画面の第４の実施例を示す正面図である。
【図１１】本発明による受信装置の画面の第５の実施例を示す正面図である。
【図１２】本発明による受信装置の画面の第６の実施例を示す正面図である。
【図１３】従来の受信装置の画面の正面図である。
【図１４】従来の受信装置の画面の正面図である。
【図１５】従来の受信装置の画面の正面図およびリモコンの正面図である。
【図１６】従来の受信装置の画面の正面図である。
【符号の説明】
１０２…信号分離部、１０３…画像処理部、１０４…画像再生部、１０５…画像加工部、１０６…画像合成部、１０８…情報処理部、１０９…データ抽出部、１１０…データ記憶部、１１１…表示データ作成部、１１２…中央処理部、１１３…制御入力部、１１４…時計装置、１１５…メモリ部、１１７…モデム、２００…リモコン、２０２…番組ガイドボタン、２０３…マルチボタン、３００…カーソル、３１３、３１９、３２５、３３２、３４０…スクロール表示部。
【図１】
0003686523.tif 000002
【図２】
0003686523.tif 000003
【図３】
0003686523.tif 000004
【図４】
0003686523.tif 000005
【図５】
0003686523.tif 000006
【図６】
0003686523.tif 000007
【図７】
0003686523.tif 000008
【図８】
0003686523.tif 000009
【図９】
0003686523.tif 000010
【図１０】
0003686523.tif 000011
【図１１】
0003686523.tif 000012
【図１２】
0003686523.tif 000013
【図１３】
0003686523.tif 000014
【図１４】
0003686523.tif 000015
【図１５】
0003686523.tif 000016
【図１６】
0003686523.tif 000017